(57)【要約】      （修正有）【課題】今日、多種多様なオーディオケーブルが使用されているが、このオーディオケーブルは電灯線から発生する磁界／磁束が常にあってこの影響を受ける。また、電磁波等の外部磁界によりオーディオケーブルがこれらと鎖交して相互干渉を起こし混変調歪の原因となる。これらの電磁ノイズを高性能に防止、除去することが求められる。【解決手段】ループコイル状にワイヤーを巻きその巻き始めから巻き終わりまでを一ブロックとし、これを各ブロックごとに繰り返し連続したブロック群とし、当該ループコイル状にに巻いた各ブロックのコイル状の径を一ブロックのケーブルの長さとし、これを連続して繋ぎ合わせた長さをもって全オーディオケーブルとする。【選択図】図１
2018200860.tif 000002
【特許請求の範囲】
【請求項１】
閉ループコイル状に巻いたワイヤー部位の、巻き始めから巻き終わりまでを一ブロックとし、これを各ブロック毎に繰り返し連続するブロック群とし当該閉ループコイル状の巻いた各ブロックのコイル状の径を一ブロックのケーブルの長さとし、これを連続してつなぎ合わさった長さを有することを特徴とするオーディオケーブル。
【請求項２】
請求項１における前記閉ループコイル状ワイヤーを巻く方向とそれに対する逆方向に閉ループコイル状ワイヤーを巻く組み合わせを有することを特徴とするオーディオケーブル
【請求項３】
請求項１における前記閉ループ状に巻いたワイヤー部位の各ブロック毎、交互に直角に位置する巻き方とし、これを連続してつなぎ合わせた長さを有することを特徴とするオーディオケーブル。
【発明の詳細な説明】
【技術分野】
【０００１】この発明は、オーディオ装置間の配線やスピーカーケーブル等のオーディオケーブルに関するものである。
【背景技術】
【０００２】従来のオーデイオケーブルは、音質向上のためや、音の変化を楽しむために様々なオーディオケーブルが様々な用途に従って使用されている。
【先行技術文献】
【特許文献】
【０００３】
【特許文献１】特開２０１３−８４５０１号公開
【発明の概要】
【発明が解決しようとする課題】
【０００４】従来、信号の送り方として単線や同軸ケーブル、ツイスト線、シールド線等が用いられている。一方導線の材質や、構造、太さや絶縁被覆の材質や厚み等、ケーブルの構造、シールド等、例えば純度の高い無酸素銅線等多種様々なケーブルが使用されている。しかし、オーデオケーブルは雑音やハムや電灯線に乗ってくる電磁誘導に乗ってくる磁束によって悪影響を受ける。本発明は，この様な電磁ノイズを高性能に防止、除去するためになされたものである。
【課題を解決するための手段】
【０００５】（イ）閉ループコイル状に巻いたワイヤー部位の巻き始めから巻き終わりまでを一ブロックとし、これを各ブロックごとに繰り返し連続したブロック群とし、当該閉ループコイル状に巻いた各ブロックのコイル状の径を一ブロックのケーブルの長さとし、これを連続してつなぎ合わせた長さを有することを特徴とするオーデオケーブルとする。
（ロ）前記閉ループコイル状にワイヤーを巻く方向と、それに対応する反対方向に閉ループコイル状にワイヤーを巻く組み合わせを有するオーデオケーブルとする。
（ハ）（イ）項における閉ループコイル状に巻いたワイヤー部位の各ブロック毎交互に直角に位置する巻き方としこれを連続してつなぎ合わせてケーブルの長さとする。
本発明は以上の構成からなるオーディオケーブルである。
【発明の効果】
【０００６】閉ループコイル状の各ブロックでは磁場が相殺されて発生しないので、外部からの磁場や電磁波等の影響を受けないことで音質劣化は生じない。電灯線などから発生する磁界／磁束が周囲に存在すると、これによってケーブルと鎖交して相互干渉を起こし歪発生の原因となるが、本発明によるケーブルはこれらの磁束が相殺され無誘導体となるので相互干渉を起こさず音質劣化とはならない。閉ループコイル状に巻いたワイヤー部位の各ブロック毎交互に直角に位置する巻き方としこれを連続してつなぎ合わせてケーブルの長さとする場合も同様の効果がある。【０００７】スピーカーを駆動するためのアンプ出力電流と無関係なリアクタンス成分が含まれる逆起電流とが、共に同一ケーブルを通して流れるので、当該ケーブルにインピーダンス成分がある場合は位相差による相互干渉から混変調歪が発生するが、本発明によるケーブルは磁界を生じない無誘導ケーブルなので、両者間の位相づれは起こらず信号電流は歪まない。本発明によるケーブルは無誘導体となるので磁界も作らず、時間遅れも位相ずれも生じないので応答性が速く、音質ものびのびとした音となる。
【図面の簡単な説明】
【０００８】
【図１】本発明の閉ループコイル状ケーブルの説明図である。
【図２】本発明の閉ループコイル状のワイヤーの巻き方の説明図である。
【図３】本発明の閉ループコイル状にワイヤを巻く説明図である。
【発明を実施するための形態】
【０００９】以下、本発明を実施するための形態を説明する。図１に基づいて説明すると、ゴムブッシュ等の円筒状の物にワイヤーを閉ループコイル状（１）に巻いて、その巻き始め（２）からその巻き終わり（３）までの当該閉ループコイル状の部位（４）を１ブロックとし、これを各ブロック毎に繰り返し巻いて連続したブロック群（１）、（５）、（６）、（７）、（８）、とし、当該閉ループコイル状に巻いた各ブロックの閉ループコイル状に巻いた部位の径（４）を当該１ブロックのケーブルの長さとし、これを連続してつなぎ合わせた長さを全ケーブルの長さとする。
【００１０】前記閉ループコイル状にワイヤーを巻き、その巻く方向は、それに対応する反対方向に閉ループコイル状ワイヤーを巻く組み合わせとする。図（２）に示す連続する閉ループコイル状ワイヤーを巻く方向を各ブロック毎に時計方向と反時計方向に巻き、これを繰り返し、１ブロック（１３）を時計方向（１０）に巻くと次のブロック（１４）は反時計方向（１１）に巻き、さらに次のブロック（１５）は時計方向に巻き、これを繰り返して連続したケーブルの長さとする。
【００１１】前記平面ループコイル状に巻く場合、連続した同一時計方向に巻き連続したケーブル長とし、同じ巻いた部位に反時計方向に連続して平面ループコイル状に巻き、連続したケーブル長とする。これによって同じ閉ループコイル状に巻いた部位には時計方向に巻いたコイルと反時計方向に巻いたコイルが同じ位置に巻かれる。閉ループコイル状に巻かれた部位に流れる電流はそれぞれ逆方向になるので、これらの電流による磁界は相殺され発生しない。また外部からの磁界、磁束の影響も相殺され受けない。
【００１２】前記閉ループコイル状に巻く部位は時計方向に巻いたコイルと反時計方向に巻いたコイルが同一部位に巻かれているようにすることで、外部磁界からの磁束の鎖交による外乱ノイズを相殺し、また、ケーブルを流れる電流による磁界が相殺されることでスピーカーから発生する逆起電力による磁界が発生しないので、当該ケーブルよる音質劣化を防止する。
【実施例】
【００１３】ワイヤーを閉ループコイル状に巻いて連続するケーブルにするための方法を図３に示す。支持台（１７）の上に一列に等間隔に支持棒（１８）、（１９）、（２０）、（２１）を固定して並べる。閉ループコイル状にワイヤー（２２）を巻くためのゴム、プラスチック等の円筒形状の物（１６）の中心部に穴を設け、その穴を前記支持棒（１８）に差し込み固定する。さらに当該閉ループコイル状にワイヤー（２２）を当該円筒形状の物（１６）に巻いて、これを長く連続するケーブルとする。
【符号の説明】
【００１４】１    閉ループコイル状ブロック
２    コイル
４    一ブロックの長さ
９    ケーブル全長
１０  コイルの時計方向巻き
１１  コイルの反時計方向巻き
１３  閉ループコイル一ブロック
１６  円筒形状の物
１７  支持台
１８  支持棒
２２  コイル
【図１】
2018200860.tif 000003
【図２】
2018200860.tif 000004
【図３】
2018200860.tif 000005
【手続補正書】
【提出日】平成30年8月6日(2018.8.6)
【手続補正１】
【補正対象書類名】明細書
【補正対象項目名】０００５
【補正方法】変更
【補正の内容】
【０００５】（イ）ループコイル状に巻いたワイヤー部位の巻き始めから巻き終わりまでを一ブロックとし、これを各ブロックごとに繰り返し連続したブロック群とし、当該ループコイル状に巻いた各ブロックのコイル状の径を一ブロックのケーブルの長さとし、これを連続してつなぎ合わせた長さを有することを特徴とするオーデオケーブルとする。
（ロ）  前記ループコイル状にワイヤーを巻く方向と、それに対応する反対方向にループコイル状にワイヤーを巻く組み合わせを有するオーデオケーブルとする。
（ハ）  （イ）項におけるループコイル状に巻いたワイヤー部位の各ブロック毎交互に直角に位置する巻き方としこれを連続してつなぎ合わせてケーブルの長さとする。
本発明は以上の構成からなるオーディオケーブルである。
【手続補正２】
【補正対象書類名】明細書
【補正対象項目名】０００６
【補正方法】変更
【補正の内容】
【０００６】ループコイル状の各ブロックでは磁場が相殺されて発生しないので、外部からの磁場や電磁波等の影響を受けないことで音質劣化は生じない。電灯線などから発生する磁界／磁束が周囲に存在すると、これによってケーブルと鎖交して相互干渉を起こし歪発生の原因となるが、本発明によるケーブルはこれらの磁束が相殺され無誘導体となるので相互干渉を起こさず音質劣化とはならない。ループコイル状に巻いたワイヤー部位の各ブロック毎交互に直角に位置する巻き方としこれを連続してつなぎ合わせてケーブルの長さとする場合も同様の効果がある。
【手続補正３】
【補正対象書類名】明細書
【補正対象項目名】０００８
【補正方法】変更
【補正の内容】
【０００８】
【図１】      本発明のループコイル状ケーブルの説明図である。
【図２】      本発明のループコイル状のワイヤーの巻き方の説明図である。
【図３】      本発明のループコイル状にワイヤーを巻く説明図である。
【手続補正４】
【補正対象書類名】明細書
【補正対象項目名】０００９
【補正方法】変更
【補正の内容】
【０００９】以下、本発明を実施するための形態を説明する。図１に基づいて説明すると、ゴムブッシュ等の円筒状の物にワイヤーをループコイル状（１）に巻いて、その巻き始め（２）からその巻き終わり（３）までの当該ループコイル状の部位（４）を１ブロックとし、これを各ブロック毎に繰り返し巻いて連続したブロック群（１）、（５）、（６）、（７）、（８）、とし、当該ループコイル状に巻いた各ブロックのループコイル状に巻いた部位の径（４）を当該１ブロックのケーブルの長さとし、これを連続してつなぎ合わせた長さを全ケーブルの長さとする。
【手続補正５】
【補正対象書類名】明細書
【補正対象項目名】００１０
【補正方法】変更
【補正の内容】
【００１０】前記ループコイル状にワイヤーを巻き、その巻く方向は、それに対応する反対方向にループコイル状ワイヤーを巻く組み合わせとする。図（２）に示す連続するループコイル状ワイヤーを巻く方向を各ブロック毎に時計方向と反時計方向に巻き、これを繰り返し、１ブロック（１３）を時計方向（１０）に巻くと次のブロック（１４）は反時計方向（１１）に巻き、さらに次のブロック（１５）は時計方向に巻き、これを繰り返して連続したケーブルの長さとする。
【手続補正６】
【補正対象書類名】明細書
【補正対象項目名】００１１
【補正方法】変更
【補正の内容】
【００１１】前記平面ループコイル状に巻く場合、連続した同一時計方向に巻き連続したケーブル長とし、同じ巻いた部位に反時計方向に連続して平面ループコイル状に巻き、連続したケーブル長とする。これによって同じループコイル状に巻いた部位には時計方向に巻いたコイルと反時計方向に巻いたコイルが同じ位置に巻かれる。ループコイル状に巻かれた部位に流れる電流はそれぞれ逆方向になるので、これらの電流による磁界は相殺され発生しない。また外部からの磁界、磁束の影響も相殺され受けない。
【手続補正７】
【補正対象書類名】明細書
【補正対象項目名】００１２
【補正方法】変更
【補正の内容】
【００１２】前記ループコイル状に巻く部位は時計方向に巻いたコイルと反時計方向に巻いたコイルが同一部位に巻かれているようにすることで、外部磁界からの磁束の鎖交による外乱ノイズを相殺し、また、ケーブルを流れる電流による磁界が相殺されることでスピーカーから発生する逆起電力による磁界が発生しないので、当該ケーブルよる音質劣化を防止する。
【手続補正８】
【補正対象書類名】明細書
【補正対象項目名】００１３
【補正方法】変更
【補正の内容】
【００１３】ワイヤーをループコイル状に巻いて連続するケーブルにするための方法を図３に示す。支持台（１７）の上に一列に等間隔に支持棒（１８）、（１９）、（２０）、（２１）を固定して並べる。ループコイル状にワイヤー（２２）を巻くためのゴム、プラスチック等の円筒形状の物（１６）の中心部に穴を設け、その穴を前記支持棒（１８）に差し込み固定する。さらに当該ループコイル状にワイヤー（２２）を
当該円筒形状の物（１６）に巻いて、これを長く連続するケーブルとする。
【手続補正９】
【補正対象書類名】明細書
【補正対象項目名】００１４
【補正方法】変更
【補正の内容】
【００１４】１    ループコイル状ブロック
２    コイル
４    一ブロックの長さ
９    ケーブル全長
１０  コイルの時計方向巻き
１１  コイルの反時計方向巻き
１３  ループコイル一ブロック
１６  円筒形状の物
１７  支持台
１８  支持棒
２２  コイル
【手続補正１０】
【補正対象書類名】特許請求の範囲
【補正対象項目名】請求項１
【補正方法】変更
【補正の内容】
【請求項１】
ループコイル状に巻いたワイヤー部位の、巻き始めから巻き終わりまでを一ブロックとし、これを各ブロック毎に繰り返し連続するブロック群とし当該ループコイル状の巻いた各ブロックのコイル状の径を一ブロックのケーブルの長さとし、これを連続してつなぎ合わさった長さを有することを特徴とするオーディオ．ケーブル。
【手続補正１１】
【補正対象書類名】特許請求の範囲
【補正対象項目名】請求項２
【補正方法】変更
【補正の内容】
【請求項２】
請求項１における前記  ループコイル状ワイヤーを巻く方向とそれに対する逆方向にループコイル状ワイヤーを巻く組み合わせを有することを特徴とするオーディオケーブル
【手続補正１２】
【補正対象書類名】特許請求の範囲
【補正対象項目名】請求項３
【補正方法】変更
【補正の内容】
【請求項３】
請求項１における前記ループ状に巻いたワイヤー部位の各ブロック毎、交互に直角に位置する巻き方とし、これを連続してつなぎ合わせた長さを有することを特徴とするオーディオケーブル。